(57)【要約】【課題】              消費電流を削減しつつ誤操作に至り難くすること。【解決手段】          複数のキーボタンを有する操作部２１と、キーボタンごとに対応する発光素子を有するキーバックライト部２２と、キーボタンのうち表示されている画面に対する機能の割り当てのない１又は複数の特定キーボタンに対応する発光素子のみが点灯している状態で、任意のキーボタンが押下されたときに、特定キーボタン以外の１又は複数の非特定キーボタンに対応する発光素子を点灯させるように制御する制御部１７と、を備える。【選択図】            図３
2006295613.tif 000002
【特許請求の範囲】
【請求項１】
複数のキーボタンを有する操作部と、
前記キーボタンごとに対応する発光素子を有するキーバックライト部と、
前記キーボタンのうち表示されている画面に対する機能の割り当てのない１又は複数の特定キーボタンに対応する発光素子のみが点灯している状態で、任意の前記キーボタンが押下されたときに、前記特定キーボタン以外の１又は複数の非特定キーボタンに対応する発光素子を点灯させるように制御する制御部と、
を備えることを特徴とする携帯端末。
【請求項２】
前記制御部は、前記特定キーボタンに対応する発光素子のみが点灯している状態で、任意の前記キーボタンが押下されたときに、前記特定キーボタンに対応する発光素子のみを消灯させるように制御することを特徴とする請求項１記載の携帯端末。
【請求項３】
前記制御部は、前記非特定キーボタンに対応する発光素子を点灯させる際、前記非特定キーボタンのうち表示されている画面に対する機能の割り当てのある機能割当キーボタンに対応する発光素子を点灯させるように制御することを特徴とする請求項１又は２記載の携帯端末。
【請求項４】
前記キーボタンの最終の押下時からの時間をカウントするカウンタ部を備え、
前記制御部は、前記カウンタ部でカウントされた時間が規定時間を超えたときに前記特定キーボタンに対応する発光素子のみを点灯させるように制御することを特徴とする請求項１乃至３のいずれか一に記載の携帯端末。
【請求項５】
前記キーボタンの最終の押下時からの第１の時間をカウントする第１のカウンタ部と、
前記キーボタンの最終の押下時からの第２の時間をカウントする第２のカウンタ部と、
を備え、
前記制御部は、前記第１の時間が第１の規定時間を超えたときに前記特定キーボタンに対応する発光素子のみを点灯させるように制御し、前記第２の時間が第２の規定時間を超えたときに前記特定キーボタンに対応する発光素子を消灯させるように制御することを特徴とする請求項１乃至３のいずれか一に記載の携帯端末。
【請求項６】
表示部を照らす表示バックライト部を備え、
前記制御部は、前記表示バックライト部を前記非特定キーボタンに対応する発光素子の点灯および消灯に連動するように制御することを特徴とする請求項１乃至５のいずれか一に記載の携帯端末。
【請求項７】
複数のキーボタンのうち表示されている画面に対する機能の割り当てのない１又は複数の特定キーボタンに対応する発光素子のみが点灯している状態で、任意の前記キーボタンが押下されたときに、前記特定キーボタン以外の１又は複数の非特定キーボタンに対応する発光素子を点灯させるように制御することを特徴とする携帯端末のキーバックライト制御方法。
【請求項８】
前記特定キーボタンに対応する発光素子のみが点灯している状態で、任意の前記キーボタンが押下されたときに、前記特定キーボタンに対応する発光素子のみを消灯させるように制御することを特徴とする請求項７記載の携帯端末のキーバックライト制御方法。
【請求項９】
前記非特定キーボタンに対応する発光素子を点灯させる際、前記非特定キーボタンのうち表示されている画面に対する機能の割り当てのある機能割当キーボタンに対応する発光素子を点灯させるように制御することを特徴とする請求項７又は８記載の携帯端末のキーバックライト制御方法。
【請求項１０】
前記キーボタンの最終の押下時からカウントされた時間が規定時間を超えたときに前記特定キーボタンに対応する発光素子のみを点灯させるように制御することを特徴とする請求項７乃至９のいずれか一に記載の携帯端末のキーバックライト制御方法。
【請求項１１】
前記キーボタンの最終の押下時からカウントされた第１の時間が第１の規定時間を超えたときに前記特定キーボタンに対応する発光素子のみを点灯させるように制御するステップと、
前記キーボタンの最終の押下時からカウントされた第２の時間が第２の規定時間を超えたときに前記特定キーボタンに対応する発光素子を消灯させるように制御するステップと、
を含むことを特徴とする請求項７乃至９のいずれか一に記載の携帯端末のキーバックライト制御方法。
【請求項１２】
表示部を照らす表示バックライト部を前記非特定キーボタンに対応する発光素子の点灯および消灯に連動するように制御することを特徴とする請求項７乃至１１のいずれか一に記載の携帯端末のキーバックライト制御方法。
【請求項１３】
複数のキーボタンのうち表示されている画面に対する機能の割り当てのない１又は複数の特定キーボタンに対応する発光素子のみが点灯している状態で、任意の前記キーボタンが押下されたときに、前記特定キーボタン以外の１又は複数の非特定キーボタンに対応する発光素子を点灯させるステップを携帯端末に実行させることを特徴とするキーバックライト制御プログラム。
【請求項１４】
前記特定キーボタンに対応する発光素子のみが点灯している状態で、任意の前記キーボタンが押下されたときに、前記特定キーボタンに対応する発光素子のみを消灯させるステップを携帯端末に実行させることを特徴とする請求項１３記載のキーバックライト制御プログラム。
【請求項１５】
前記非特定キーボタンに対応する発光素子を点灯させる際、前記非特定キーボタンのうち表示されている画面に対する機能の割り当てのある機能割当キーボタンに対応する発光素子を点灯させるステップを携帯端末に実行させることを特徴とする請求項１３又は１４記載のキーバックライト制御プログラム。
【請求項１６】
前記キーボタンの最終の押下時からカウントされた時間が規定時間を超えたときに前記特定キーボタンに対応する発光素子のみを点灯させるステップを携帯端末に実行させることを特徴とする請求項１３乃至１５のいずれか一に記載のキーバックライト制御プログラム。
【請求項１７】
前記キーボタンの最終の押下時からカウントされた第１の時間が第１の規定時間を超えたときに前記特定キーボタンに対応する発光素子のみを点灯させるステップと、
前記キーボタンの最終の押下時からカウントされた第２の時間が第２の規定時間を超えたときに前記特定キーボタンに対応する発光素子を消灯させるステップと、
を携帯端末に実行させることを特徴とする請求項１３乃至１５のいずれか一に記載のキーバックライト制御プログラム。
【請求項１８】
表示部を照らす表示バックライト部を前記非特定キーボタンに対応する発光素子の点灯および消灯に連動させるステップを携帯端末に実行させることを特徴とする請求項１３乃至１７のいずれか一に記載のキーバックライト制御プログラム。
【発明の詳細な説明】
【技術分野】
【０００１】
本発明は、キーバックライト部を有する携帯端末、キーバックライト制御方法、及びキーバックライト制御プログラムに関し、特に、誤操作に至り難くする携帯端末、キーバックライト制御方法、及びキーバックライト制御プログラムに関する。
【背景技術】
【０００２】
従来の携帯電話機、ＰＨＳ等の携帯端末は、マン−マシンインタフェースとして、キーボタン等の操作部と、液晶ディスプレイ等の表示部とを有し、暗い場所での使用を考慮して、操作部、表示部において照明機能（バックライト）を有する。一方、携帯端末は、電池の寿命をより長くするために省電力設計が必要であるが、照明機能は消費電流が大きいため、照明時間を制限する機能が設けられている。
【０００３】
しかしながら、照明時間を制限する機能を有する携帯端末を暗闇で操作すると、誤操作に至ることがある。例えば、キーボタン用のキーバックライト部は、キーボタン押下などの使用者の操作があった場合に点灯（全点灯）し、予め設定された時間以内に次の操作が行われないと消灯する。使用者は、暗闇において最初のキーボタンを押下する場合、キーバックライトが消灯（全消灯）した状態で押下しなければならず、誤って意図しないキーボタンを押下して、意図しない動作に至ってしまうことがある。２回目以降のキーボタンを押下する場合においても、キーバックライト部が点灯（全点灯）している状態で一定時間放置すると、キーバックライト部が消灯（全消灯）してしまうので、消灯（全消灯）した状態で押下すれば同様の誤操作に至る可能性がある。
【０００４】
このような問題点を解消する手段として、周囲環境の明るさに応じて出力が変化するセンサを備え、周囲環境が暗く、かつ、バックライトが消灯しているときに、最初のキー入力があった場合にバックライトを点灯する携帯電話機が開示されている（例えば、特許文献１参照）。
【０００５】
【特許文献１】特開平４−１１７７３５号公報
【特許文献２】特開２００２−２４７１７７号公報
【特許文献３】特開２００３−１８２９１号公報
【特許文献４】特開２００３−６９７０１号公報
【特許文献５】特開平１０−２３４０７９号公報
【発明の開示】
【発明が解決しようとする課題】
【０００６】
しかしながら、特許文献１に記載の携帯電話機では、センサのしきい値の設定によって、使用者が意図しないところでセンサが働き、これによって誤操作に至る可能性がある。
【０００７】
本発明の課題は、消費電流を削減しつつ誤操作に至り難くすることである。
【課題を解決するための手段】
【０００８】
本発明の第１の視点においては、携帯端末において、複数のキーボタンを有する操作部と、前記キーボタンごとに対応する発光素子を有するキーバックライト部と、前記キーボタンのうち表示されている画面に対する機能の割り当てのない１又は複数の特定キーボタンに対応する発光素子のみが点灯している状態で、任意の前記キーボタンが押下されたときに、前記特定キーボタン以外の１又は複数の非特定キーボタンに対応する発光素子を点灯させるように制御する制御部と、を備えることを特徴とする。
【０００９】
本発明の前記携帯端末において、前記制御部は、前記特定キーボタンに対応する発光素子のみが点灯している状態で、任意の前記キーボタンが押下されたときに、前記特定キーボタンに対応する発光素子のみを消灯させるように制御することが好ましい。
【００１０】
本発明の前記携帯端末において、前記制御部は、前記非特定キーボタンに対応する発光素子を点灯させる際、前記非特定キーボタンのうち表示されている画面に対する機能の割り当てのある機能割当キーボタンに対応する発光素子を点灯させるように制御することが好ましい。
【００１１】
本発明の前記携帯端末において、前記キーボタンの最終の押下時からの時間をカウントするカウンタ部を備え、前記制御部は、前記カウンタ部でカウントされた時間が規定時間を超えたときに前記特定キーボタンに対応する発光素子のみを点灯させるように制御することが好ましい。
【００１２】
本発明の前記携帯端末において、前記キーボタンの最終の押下時からの第１の時間をカウントする第１のカウンタ部と、前記キーボタンの最終の押下時からの第２の時間をカウントする第２のカウンタ部と、を備え、前記制御部は、前記第１の時間が第１の規定時間を超えたときに前記特定キーボタンに対応する発光素子のみを点灯させるように制御し、前記第２の時間が第２の規定時間を超えたときに前記特定キーボタンに対応する発光素子を消灯させるように制御することが好ましい。
【００１３】
本発明の前記携帯端末において、表示部を照らす表示バックライト部を備え、前記制御部は、前記表示バックライト部を前記非特定キーボタンに対応する発光素子の点灯および消灯に連動するように制御することが好ましい。
【００１４】
本発明の第２の視点においては、携帯端末のキーバックライト制御方法において、複数のキーボタンのうち表示されている画面に対する機能の割り当てのない１又は複数の特定キーボタンに対応する発光素子のみが点灯している状態で、任意の前記キーボタンが押下されたときに、前記特定キーボタン以外の１又は複数の非特定キーボタンに対応する発光素子を点灯させるように制御することを特徴とする。
【００１５】
本発明の第３の視点においては、キーバックライト制御プログラムにおいて、複数のキーボタンのうち表示されている画面に対する機能の割り当てのない１又は複数の特定キーボタンに対応する発光素子のみが点灯している状態で、任意の前記キーボタンが押下されたときに、前記特定キーボタン以外の１又は複数の非特定キーボタンに対応する発光素子を点灯させるステップを携帯端末に実行させることを特徴とする。
【発明の効果】
【００１６】
本発明（請求項１−１８）によれば、暗闇おいて使用者はまず特定キーボタンを押下し、他のキーボタンに対応する発光素子も点灯させることで、すべてのキーボタンを目視しながら操作することができる。また、使用者が頻繁に行うキーボタン操作で、暗闇においてボタンを目視しなくても支障がない場合には、特定キーボタンを意識することなく、任意にボタン押下から開始して問題ない。また、すべてのボタンの照明点灯と比較して、特定ボタンだけの照明点灯であれば、消費電流を少なくできるため電池寿命を長くできる。
【００１７】
本発明（請求項４、５、１０、１１、１６、１７）によれば、所定時間に達すると特定キーボタンに対応する発光素子も消灯するので、消費電流を低減させることができる。
【発明を実施するための最良の形態】
【００１８】
（実施形態１）
本発明の実施形態１に係る携帯端末について図面を用いて説明する。図１は、本発明の実施形態１に係る携帯端末の外観構成を模式的に示した斜視図である。図２は、本発明の実施形態１に係る携帯端末の構成部品の一部を模式的に示した斜視図であり、（Ａ）は下側筐体、（Ｂ）はキーボタンシート、（Ｃ）は基板に関するものである。図３は、本発明の実施形態１に係る携帯端末の内部構成を模式的に示したブロック図である。図４は、本発明の実施形態１に係る携帯端末の操作部の状態を示した模式図であり、（Ａ）は消灯時、（Ｂ）は全点灯時、（Ｃ）は部分点灯時のものである。図５は、本発明の実施形態１に係る携帯端末のキーバックライト部の構成を模式的に示した回路図である。
【００１９】
図１を参照すると、携帯端末１は、携帯可能なコンピュータ機能を有する端末である。携帯端末１として、例えば、ノート型パソコン、携帯電話機、ＰＨＳ、ＰＤＡ等に適用することができ、図１では折畳型携帯電話機を示している。携帯端末１は、主な外観構成部として、レシーバ２と、表示部３と、操作部４と、マイク５と、アンテナ６と、を有する。操作部４は、ユーザインタフェースに関わる部分であり、キーボタンシート８と、基板９と、を含む（図２参照）。キーボタンシート８は、シート部材８ｂに複数のキーボタン８ａを有する部材であり、光透過性を有し、下側筐体７内に配される。キーボタン８ａは、外部から押下可能に、対応する下側筐体７のキーボタン用穴７ａに挿入されている。キーボタンシート８は、キーボタン８ａに対応する裏面に導電体（図示せず）を有する。基板９は、下側筐体７内に配され、キーボタンシート８の下に（キーボタン８ａの裏側に）配される。基板９は、キーボタン８ａと対応する位置に複数のキーボタン回路９ａを有する。キーボタン回路９ａは、キーボタン８ａを押下すると、対応する導電体と接触して、キーボタン８ａが押されたことを感知（通電）する。基板９は、各キーボタン回路９ａの近傍に発光素子９ｂが配設されている。発光素子９ｂには、例えば、発光ダイオードが用いられる。発光素子９ｂは、キーボタンシート８を透かして、対応するキーボタン８ａを裏面から照らす。
【００２０】
図３を参照すると、携帯端末１は、内部構成として、アンテナ１１、通信部１２、変復調部１３、音声処理部１４、レシーバ１５、マイク１６、制御部１７、照度検出部１８、表示部１９、表示バックライト部２０、操作部２１、キーバックライト部２２、カウンタ部２３、記憶部２４、電源制御部２５、電池２６を有する。通信部１２は、アンテナ１１（図１のアンテナ６に対応）を介して他人の携帯電話機等の機器と通信を行うための部分である。変復調部１３は、電波の変調と復調を行う部分である。音声処理部１４は、レシーバ１５（図１のレシーバ２に対応）及びマイク１６（図１のマイク５に対応）に対する音声データを処理する部分である。照度検出部１８は、筐体外部の周囲照度を検出する部分である。表示部１９は、操作メニュー、発着信番号、メールなどの画像や文字を表示する部分であり、図１の表示部３に対応し、例えば、液晶ディスプレイなどで構成される。表示バックライト部２０は、表示部１９を照らす部分であり、例えば、発光ダイオードなどの発光素子及び導光板を含む。操作部２１は、使用者が発着信番号やメール作成などのために操作する部分であり、図１の操作部４に対応し、図２のキーボタン８ａが含まれる。キーバックライト部２２は、操作部２１の各キーボタン（図２（Ｂ）のキーボタン８ａ）を照らす部分であり、各キーボタンに対応する位置に発光素子（図２（Ｃ）の発光素子９ｂ）を有する。カウンタ部２３は、表示バックライト部２０やキーバックライト部２２の全点灯時間（全ての発光素子が点灯している時間）を制御する部分である。記憶部２４は、プログラムやデータを記憶する部分である。記憶部２４は、筐体外部の周囲照度を判定するための周囲照度しきい値２４ａを記憶する。制御部１７は、記憶部２４に記憶されたプログラムやデータに基づいて、各構成部を制御する部分であり、例えば、ＣＰＵ等を用いることができる。電源制御部２５は、電池２６から電源電力が供給され、各構成部に必要な電圧量を必要なタイミングで供給する部分である。
【００２１】
図４を参照すると、（Ａ）では操作部８におけるキーボタンａ〜ｕが消灯している。（Ｂ）では操作部８におけるすべてのキーボタンａ〜ｕが点灯（全点灯）している。（Ｃ）では操作部８における一部のキーボタンｇのみが点灯（部分点灯）している。
【００２２】
図５を参照すると、キーバックライト部２２は、発光ダイオード１０２〜１２１と、抵抗１２２〜１４１と、トランジスタ１４２、１４３と、を有する。発光ダイオード１０２〜１２１は、対応するキーボタン（図２（Ｂ）のキーボタン８ａ）を照らす。抵抗１２２〜１４１は、電流制限に用いられ、定数によって対応する発光ダイオード１０２〜１２１の輝度を決める。トランジスタ１４２、１４３は、発光ダイオード１０２〜１２１の点灯、消灯を制御するのに用いられ、制御部１７によって制御される。発光ダイオード１０２〜１２０は、トランジスタ１４２によって制御される。発光ダイオード１２１は、トランジスタ１４３によって制御される。
【００２３】
次に、本発明の実施形態１に係る携帯端末の動作について図面を用いて説明する。図６は、本発明の実施形態１に係る携帯端末の動作を模式的に示したフローチャートである。図７は、本発明の実施形態１に係る携帯端末におけるメール編集画面の一例である。
【００２４】
まず、使用者が文字の入力や編集のために、操作部（図１の４）から必要なキーボタン（図２の８ａ）を押下すると、携帯端末（図１の１）は、メール編集画面（図７参照）に移行し、照度検出部（図３の１８）によって周囲照度を検出する（ステップＡ１）。次に、携帯端末（図１の１）は、検出した周囲照度が周囲照度しきい値（図３の２４ａ）以上であるか否かを確認する（ステップＡ２）。検出した周囲照度が周囲照度しきい値以上でない場合（ステップＡ２のＮＯ）、ステップＡ８に進む。
【００２５】
検出した周囲照度が周囲照度しきい値以上である場合（ステップＡ２のＹＥＳ）、携帯端末（図１の１）は、キーバックライト部（図３の２２）が点灯中（全点灯中、部分点灯中を含む）であるか否かを確認する（ステップＡ３）。点灯中でない場合（ステップＡ３のＮＯ）、ステップＡ５に進む。点灯中である場合（ステップＡ３のＹＥＳ）、携帯端末（図１の１）は、使用者が操作部（図１の４）を視認するのに周囲照度が十分と判断し、キーバックライト部（図３の２２）を消灯する（ステップＡ４）。ここでの消灯は、図４（Ａ）に示すように全てのキーボタンについて消灯した状態である。キーバックライト部（図３の２２）を消灯した後、又は、点灯中でない場合（ステップＡ３のＮＯ）、携帯端末（図１の１）は、使用者がキーボタンを押下したか否かを確認する（ステップＡ５）。キーボタンを押下していない場合（ステップＡ５のＮＯ）、ステップＡ１に戻る。キーボタンを押下した場合（ステップＡ５のＹＥＳ）、ステップＡ６に進む。
【００２６】
検出した周囲照度が周囲照度しきい値以上でない場合（ステップＡ２のＮＯ）、携帯端末（図１の１）は、キーバックライト部（図３の２２）が消灯中であるか否かを確認する（ステップＡ８）。消灯中でない場合（ステップＡ８のＮＯ）、ステップＡ１０に進む。消灯中である場合（ステップＡ８のＹＥＳ）、携帯端末（図１の１）は、キーバックライト部（図３の２２）を部分点灯（特定キーボタンに対応する発光素子のみ点灯）にする（ステップＡ９）。ここでの部分点灯は、例えば、図４（Ｃ）に示すように特定キーボタンである通話キーボタンｇに対応する発光素子のみが点灯し、他のキーボタンに対応する発光素子は消灯した状態である。部分点灯した後、又は、消灯中でない場合（ステップＡ８のＮＯ）、携帯端末（図１の１）は、キーボタンの押下があるか否かを確認する（ステップＡ１０）。キーボタンの押下がない場合（ステップＡ１０のＮＯ）、ステップＡ１３に進む。キーボタンの押下がある場合（ステップＡ１０のＹＥＳ）、携帯端末（図１の１）は、キーバックライト部（図３の２２）を全点灯にする（ステップＡ１１）。ここでの全点灯は、図４（Ｂ）に示すように、すべてのキーボタンに対応する発光素子が点灯した状態である。次に、携帯端末（図１の１）は、カウンタ部（図３の２３）を初期化してカウントを開始し（ステップＡ１２）、ステップＡ６に進む。
【００２７】
キーボタンの押下がない場合（ステップＡ１０のＮＯ）、携帯端末（図１の１）は、キーバックライト部（図３の２２）が全点灯中であるか否かを確認する（ステップＡ１３）。全点灯でない場合（ステップＡ１３のＮＯ）、ステップＡ１に戻る。全点灯である場合（ステップＡ１３のＹＥＳ）、携帯端末（図１の１）は、カウンタ部（図３の２３）でのカウント中のカウント時間が規定時間を超えているか否かを確認する（ステップＡ１４）。カウント時間が規定時間を超えていない場合（ステップＡ１４のＮＯ）、ステップＡ１に戻る。カウント時間が規定時間を超えている場合（ステップＡ１４のＹＥＳ）、携帯端末（図１の１）は、キーバックライト部（図３の２２）を部分点灯（特定キーボタンに対応する発光素子のみ点灯）にする（ステップＡ１５）。次に、携帯端末（図１の１）は、カウンタ部（図３の２３）でのカウントを停止し（ステップＡ１６）、ステップＡ１に戻る。
【００２８】
キーボタンを押下した場合（ステップＡ５のＹＥＳ）、又は、カウンタ部（図３の２３）を初期化してカウントを開始した後、携帯端末（図１の１）は、押下されたキーボタンの種別が何かを確認する（ステップＡ６）。押下されたキーボタンの種別がセンターキーボタン（図４のｅ）又は終話キーボタン（図４のｑ）の場合、携帯端末（図１の１）は、メール編集画面を終了し（ステップＡ７）、終了する（待受け画面に戻る）。
【００２９】
押下されたキーボタンの種別がＷｅｂキーボタン（図４のａ）、通話キーボタン（図４のｇ）、又は、Ａｄｄｒキーボタン（図４のｄ）の場合、携帯端末（図１の１）は、何もせずに、ステップＡ１に戻る。
【００３０】
押下されたキーボタンの種別が矢印キーボタン（図４のｆ）の場合、携帯端末（図１の１）は、押された矢印の方向にカーソルを移動し（ステップＡ１７）、ステップＡ１に戻る。
【００３１】
押下されたキーボタンの種別がＭａｉｌキーボタン（図４のｂ）の場合、携帯端末（図１の１）は、ひらがな、カナ、英数字などの入力文字を変更し（ステップＡ１８）、ステップＡ１に戻る。
【００３２】
押下されたキーボタンの種別がＭｅｎｕキーボタン（図４のｃ）の場合、携帯端末（図１の１）は、Ｍｅｎｕ画面を表示し（ステップＡ１９）、ステップＡ１に戻る。
【００３３】
押下されたキーボタンの種別がＣＬＲキーボタン（図４のｌ）の場合、携帯端末（図１の１）は、カーソル直前の文字を削除し（ステップＡ２０）、ステップＡ１に戻る。
【００３４】
押下されたキーボタンの種別が上記キーボタン以外のキーボタン（入力キーボタン；図４のｈ、ｉ、ｊ、ｋ、ｍ、ｎ、ｏ、ｐ、ｒ、ｓ、ｔ、ｕ）の場合、携帯端末（図１の１）は、該当するキーボタンに係る文字を入力し（ステップＡ２１）、ステップＡ１に戻る。
【００３５】
実施形態１によれば、照明なしではボタンが視認できない暗闇でメール文書を作成する場合において、キーバックライト部の点灯時間が規定時間を超えて次のキーボタンを押下しなかった場合に、押下してもキーバックライト部の点灯以外に機能を有さない特定キーボタンに対応する発光素子のみを継続点灯することで、暗くてキーボタンの位置が分からない使用者はまずこの特定ボタンを押してすべてのボタン照明を点灯させてから操作を行うことができる。
【００３６】
また、使用者が慣れたキーボタンの操作時には、キーバックライトが点灯した特定キーボタンを押すことなく、希望する任意のキーボタンを直接押下することで、キーバックライト部の全ての発光素子が点灯すると同時に希望する操作も行える。
【００３７】
（実施形態２）
次に、本発明の実施形態２に係る携帯端末について図面を用いて説明する。図８は、本発明の実施形態２に係る携帯端末の内部構成を模式的に示したブロック図である。なお、実施形態２に係る携帯端末の外観構成については図１、キーボタンシートについては図２（Ｂ）、基板については図２（Ｃ）、操作部の状態については図４、キーバックライト部の構成については図５をそれぞれ参照されたい。
【００３８】
実施形態２に係る携帯端末は、照度検出部（図３の１８）がない点、記憶部２４において周囲照度しきい値（図３の２４）を記憶していない点、及び、カウンタ部が第１のカウンタ部２７と第２のカウンタ部２８の２つ存在する点で、実施形態１に係る携帯端末（図３参照）と異なる。実施形態２に係る携帯端末の他の構成については、実施形態１に係る携帯端末と同様である。
【００３９】
第１のカウンタ部２７は、実施形態１のカウンタ部（図３の２３）と同様に、表示バックライト部２０やキーバックライト部２２の全点灯時間を制御する部分である。第２のカウンタ部２８は、キーバックライト部２２の部分点灯時間（特定キーボタンに対応する発光素子のみの点灯時間）を制御する部分である。
【００４０】
次に、本発明の実施形態２に係る携帯端末の動作について図面を用いて説明する。図９は、本発明の実施形態２に係る携帯端末の動作を模式的に示したフローチャートである。
【００４１】
まず、使用者が文字の入力や編集のために、操作部（図１の４）から必要なキーボタン（図２の８ａ）を押下すると、携帯端末（図１の１）は、メール編集画面（図７参照）に移行し、携帯端末（図１の１）は、キーバックライト部（図８の２２）が消灯中であるか否かを確認する（ステップＢ１）。消灯中でない場合（ステップＢ１のＮＯ）、ステップＢ３に進む。消灯中である場合（ステップＢ１のＹＥＳ）、携帯端末（図１の１）は、キーバックライト部（図８の２２）を部分点灯（特定キーボタンに対応する発光素子のみ点灯）にする（ステップＢ２）。
【００４２】
次に、携帯端末（図１の１）は、キーボタンの押下があるか否かを確認する（ステップＢ３）。キーボタンの押下がない場合（ステップＢ３のＮＯ）、ステップＢ９に進む。キーボタンの押下がある場合（ステップＢ３のＹＥＳ）、携帯端末（図１の１）は、キーバックライト部（図８の２２）を全点灯（キーバックライト部の全ての発光素子を点灯）にする（ステップＢ４）。次に、携帯端末（図１の１）は、第１のカウンタ部（図８の２７）を初期化してカウントを開始する（ステップＢ５）。次に、携帯端末（図１の１）は、第２のカウンタ部（図８の２８）を初期化してカウントを開始する（ステップＢ６）。
【００４３】
次に、携帯端末（図１の１）は、押下されたキーボタンの種別が何かを確認する（ステップＢ７）。押下されたキーボタンの種別がセンターキーボタン（図４のｅ）又は終話キーボタン（図４のｑ）の場合、携帯端末（図１の１）は、メール編集画面を終了し（ステップＢ８）、終了する（待受け画面に戻る）。
【００４４】
押下されたキーボタンの種別がＷｅｂキーボタン（図４のａ）、通話キーボタン（図４のｇ）、又は、Ａｄｄｒキーボタン（図４のｄ）の場合、携帯端末（図１の１）は、何もせずに、ステップＢ３に戻る。
【００４５】
押下されたキーボタンの種別が矢印キーボタン（図４のｆ）の場合、携帯端末（図１の１）は、押された矢印の方向にカーソルを移動し（ステップＢ１７）、ステップＢ３に戻る。
【００４６】
押下されたキーボタンの種別がＭａｉｌキーボタン（図４のｂ）の場合、携帯端末（図１の１）は、ひらがな、カナ、英数字などの入力文字を変更し（ステップＢ１８）、ステップＢ３に戻る。
【００４７】
押下されたキーボタンの種別がＭｅｎｕキーボタン（図４のｃ）の場合、携帯端末（図１の１）は、Ｍｅｎｕ画面を表示し（ステップＢ１９）、ステップＢ３に戻る。
【００４８】
押下されたキーボタンの種別がＣＬＲキーボタン（図４のｌ）の場合、携帯端末（図１の１）は、カーソル直前の文字を削除し（ステップＢ２０）、ステップＢ３に戻る。
【００４９】
押下されたキーボタンの種別が上記キーボタン以外のキーボタン（入力キーボタン；図４のｈ、ｉ、ｊ、ｋ、ｍ、ｎ、ｏ、ｐ、ｒ、ｓ、ｔ、ｕ）の場合、携帯端末（図１の１）は、該当するキーボタンに係る文字を入力し（ステップＢ２１）、ステップＢ３に戻る。
【００５０】
キーボタンの押下がない場合（ステップＢ３のＮＯ）、携帯端末（図１の１）は、キーバックライト部（図８の２２）が全点灯中であるか否かを確認する（ステップＢ９）。全点灯中でない場合（ステップＢ９のＮＯ）、ステップＢ１３に進む。全点灯中である場合（ステップＢ９のＹＥＳ）、携帯端末（図１の１）は、第１のカウンタ部（図８の２７）でのカウント中の第１のカウント時間が第１の規定時間を超えているか否かを確認する（ステップＢ１０）。第１のカウント時間が第１の規定時間を超えていない場合（ステップＢ１０のＮＯ）、ステップＢ３に戻る。第１のカウント時間が第１の規定時間を超えている場合（ステップＢ１０のＹＥＳ）、携帯端末（図１の１）は、キーバックライト部（図３の２２）を部分点灯（特定キーボタンに対応する発光素子のみ点灯）にする（ステップＢ１１）。次に、携帯端末（図１の１）は、第１のカウンタ部（図８の２７）でのカウントを停止し（ステップＢ１２）、ステップＢ３に戻る。
【００５１】
全点灯中でない場合（ステップＢ９のＮＯ）、携帯端末（図１の１）は、キーバックライト部（図８の２２）が部分点灯中であるか否かを確認する（ステップＢ１３）。部分点灯中でない場合（ステップＢ１３のＮＯ）、ステップＢ３に戻る。部分点灯中である場合（ステップＢ１３のＹＥＳ）、携帯端末（図１の１）は、第２のカウンタ部（図８の２８）でのカウント中の第２のカウント時間が第２の規定時間を超えているか否かを確認する（ステップＢ１４）。第２のカウント時間が第２の規定時間を超えていない場合（ステップＢ１４のＮＯ）、ステップＢ３に戻る。第２のカウント時間が第２の規定時間を超えている場合（ステップＢ１４のＹＥＳ）、携帯端末（図１の１）は、キーバックライト部（図３の２２）を消灯にする（ステップＢ１５）。次に、携帯端末（図１の１）は、第２のカウンタ部（図８の２８）でのカウントを停止し（ステップＢ１６）、ステップＢ３に戻る。
【００５２】
実施形態２によれば、光センサなどの照度検出部を不要とするため、実装、原価において有利である。また、第１のカウンタ部２８を設けることによって、暗闇でないところでキーボタンの押下がない状態でも、特定キーボタンに対応する発光素子が常時点灯になってしまうことが防止され、非操作時の消費電流が多くなってしまうことが防止される。他のキーボタンに対応する発光素子を消灯した後の任意時間経過後に、特定キーボタンに対応する発光素子を消灯することができる。
【００５３】
（実施形態３）
次に、本発明の実施形態３に係る携帯端末について説明する。実施形態３に係る携帯端末では、実施形態１、２の構成に加え、非特定キーボタン（特定キーボタン以外のキーボタン）に対応する発光素子と表示バックライト部の点灯、消灯を同じタイミングで行うようにする。これにより、キーボタンの押下がない場合には、キーボタンに対応する発光素子だけでなく、表示バックライト部も消灯するので、消費電流を抑えることができる。暗闇で使用者が表示部も操作部も見えない場合、唯一点灯している特定キーボタンを押下することで、表示バックライト部を点灯させるとともに、キーバックライト部を全点灯させることができる。
【００５４】
（実施形態４）
次に、本発明の実施形態４に係る携帯端末について説明する。実施形態４に係る携帯端末では、実施形態１、２のようにメール編集の場合だけでなく、待受、通話など携帯端末のあらゆる操作において適用する。また、メール編集中、待受中、通話中など使用状況において用いられる各キーボタンの機能が変わるので、その時々で押下しても機能しないキーボタンも変わる。そこで、特定キーボタンを設定したい使用状況で用いられる特定キーボタンについて独立して点灯、消灯の制御ができるようにし、使用状況に応じて特定キーボタンを変更するようにしてもよい。
【００５５】
（実施形態５）
次に、本発明の実施形態５に係る携帯端末について説明する。実施形態５に係る携帯端末では、特定キーボタンを１つでなく、複数にする。例えば、メール編集中に押下しても機能しないｗｅｂキーボタンとａｄｄｒキーボタンも特定キーボタンとし、通話キーボタンとともに、これらの特定キーボタンに対応する発光素子を点灯させてもよい。
【００５６】
（実施形態６）
次に、本発明の実施形態６に係る携帯端末について説明する。実施形態６に係る携帯端末では、キーボタンの押下がなく、特定キーボタンに対応する発光素子のみが点灯（キーバックライト部の部分点灯）している状態で、任意のキーボタンの押下を行うと、すべてのキーボタンのキーバックライトを点灯させるのではなく、それまで点灯していた特定キーボタンに対応する発光素子を消灯させ、かつ、非特定キーボタン又は機能割当キーボタン（非特定キーボタンのうち表示されている画面に機能の割り当てがあるキーボタン）に対応する発光素子を点灯させる。つまり、特定キーボタンは、押下してもキーバックライトを点灯させるだけのキーボタンであり、使用者が押下する必要のないキーボタンであるため、発光素子の点灯数を減らすことで、消費電流削減になる。また、暗闇においては、機能の割り当てがあるキーボタンに対応する発光素子だけを点灯する場合には、使用者は、機能の割り当てのあるキーボタンと、機能の割り当てのないキーボタンと、を視覚的に容易に判別できる。
【００５７】
次に、本発明の他の実施形態に係る携帯端末について説明する。
【００５８】
部分点灯（特定キーボタンに対応する発光素子のみ点灯）に相当する状態の変形例として、非特定キーボタンに対応する発光素子の輝度が特定キーボタンに対応する発光素子の輝度よりも小さくしてもよい。また、全点灯（全てのキーボタンに対応する発光素子が点灯）に相当する状態の変形例として、特定キーボタンに対応する発光素子の輝度が非特定キーボタンに対応する発光素子の輝度よりも小さくしてもよい。ここで、発光素子の輝度を変更する手段として、（１）発光素子に印加する電圧を変更する手段、（２）１つのキーボタンに対応する発光素子を複数設置し、電圧を供給する発光素子の数を変更する手段がある。
【００５９】
また、実施形態２に係る携帯端末に、非特定キーボタンに対応する発光素子の点灯時間をカウントする第３のカウンタ部を追加してもよい。
【図面の簡単な説明】
【００６０】
【図１】本発明の実施形態１に係る携帯端末の外観構成を模式的に示した斜視図である。
【図２】本発明の実施形態１に係る携帯端末の構成部品の一部を模式的に示した斜視図であり、（Ａ）は下側筐体、（Ｂ）はキーボタンシート、（Ｃ）は基板に関するものである。
【図３】本発明の実施形態１に係る携帯端末の内部構成を模式的に示したブロック図である。
【図４】本発明の実施形態１に係る携帯端末の操作部の状態を示した模式図であり、（Ａ）は消灯時、（Ｂ）は全点灯時、（Ｃ）は一部点灯時のものである。
【図５】本発明の実施形態１に係る携帯端末のキーバックライト部の構成を模式的に示した回路図である。
【図６】本発明の実施形態１に係る携帯端末の動作を模式的に示したフローチャートである。
【図７】本発明の実施形態１に係る携帯端末におけるメール編集画面の一例である。
【図８】本発明の実施形態２に係る携帯端末の内部構成を模式的に示したブロック図である。
【図９】本発明の実施形態２に係る携帯端末の動作を模式的に示したフローチャートである。
【符号の説明】
【００６１】
１  携帯端末
２  レシーバ
３  表示部
４  操作部
５  マイク
６  アンテナ
７  下側筐体
７ａ  キーボタン用穴
８  キーボタンシート
８ａ  キーボタン
８ｂ  シート部材
９  基板
９ａ  キーボタン回路
９ｂ  発光素子
１１  アンテナ
１２  通信部
１３  変復調部
１４  音声処理部
１５  レシーバ
１６  マイク
１７  制御部
１８  照度検出部
１９  表示部
２０  表示バックライト部
２１  操作部
２２  キーバックライト部
２３  カウンタ部
２４  記憶部
２４ａ  周囲照度しきい値
２５  電源制御部
２６  電池
２７  第１のカウンタ部
２８  第２のカウンタ部
１０２〜１２１  発光ダイオード
１２２〜１４１  抵抗
１４２、１４３  トランジスタ
【図１】
2006295613.tif 000003
【図２】
2006295613.tif 000004
【図３】
2006295613.tif 000005
【図４】
2006295613.tif 000006
【図５】
2006295613.tif 000007
【図６】
2006295613.tif 000008
【図７】
2006295613.tif 000009
【図８】
2006295613.tif 000010
【図９】
2006295613.tif 000011